(57)【要約】      （修正有）【課題】室外側窓枠材と室内側窓枠材の均等なる強い取付強度と、安定した取付姿勢を確保させた窓枠構造を提供する。【解決手段】室外側窓枠材２の内縁板部と室内側窓枠材３の内縁板部との間に窓ガラス１０を配置し、押縁材４を室内側窓枠材３の内側箇所に起立姿勢で支持させて、押縁材４の水平方向に向けた翼板部と室外側窓枠材２の内側に向けた翼板部とを重ね合わせた姿勢で、室外側窓枠材２から挿入したビス４の軸部を押縁材４の押板部に挿通させ、更に該軸先端部を室外側窓枠材２の起立した向きの内縁板部に螺入締結させた窓枠構造にした。【選択図】図３
0003185349.tif 000002
【実用新案登録請求の範囲】
【請求項１】
ドア又は壁面に設けた開口内に装着される埋込窓の窓枠構造であり、
室外側窓枠材（２）と室内側窓枠材（３）と押縁材（４）とビス（５）とを有し、
室外側窓枠材（２）は、長尺方向と直交する断面形状において、底板部（２ａ）を挟んだ窓外側端縁から直角方向に外縁板部（２ｂ）が立設し、窓内側縁から外縁板部（２ｂ）に対向する方向に外縁板部（１ｂ）の高さ半分から外縁板部（２ｂ）の高さに若干至らない範囲の高さで内縁板部（２ｃ）が立設し、内縁板部（２ｃ）の長尺方向に沿う先端縁部から底板部（２ａ）と反対方向に翼板部（２ｄ）が水平に突出した一体成型材であり、
室内側窓枠材（３）は、長尺方向と直交する断面形状において、底板部（３ａ）を挟んだ窓外側端縁から直角方向に外縁板部（３ｂ）が立設し、室内側縁から外縁板部（３ｂ）に対向する方向に外縁板部（３ｂ）の高さ約３分の１から高さ半分程度の範囲で内縁板部（３ｃ）が立設した一体成型材であり、
押縁材（４）は、長尺形状を有する押板部（４ａ）の長尺方向に沿う一端縁から直角方向に翼板部（４ｂ）が形成されたＬ型材であり、
双方の内縁板部（２ｃ、３ｃ）の間に窓用パネルを配置し、押板部（４ａ）を室内側窓押板部（３ａ）における内縁板部（２ｃ）の内側面に沿わせ、押縁材（４）の翼板部（４ｄ）を室外側窓枠材（２）の翼板部（２ｄ）に重ね合わせた状態で、
室外側窓枠材（２）と室内側窓枠材（３）とを、双方の外縁板部（２ｂ，３ｂ）を残した状態で、前記開口内に前後方向から突入させ、
更に、室内側窓枠部材（２）の外縁板部（２ｂ）から挿入したビス（４）の軸部を、押板部（４ａ）に挿通させ、室内側窓枠材（３）の外縁板部（３ｂ）に設けたビス孔内に螺入・締結させて、
押板部（４ａ）と室外側窓枠材（２）の内縁板部（２ｃ）とにより窓パネルが挟み付けられ、室外側窓枠材（２）の外縁板部（２ｂ）と室内側窓枠材（３）の外縁板部（３ｂ）とにより前記開口の外側周囲面が挟み付けられる構造であることを特徴とする窓枠構造。
【請求項２】
前記窓パネルは、窓ガラスである、請求項１に記載の窓枠構造。
【請求項３】
前記窓パネルは、換気ガラリ、通気口を多数設けた通気パネル、通気パネルと防虫網とを重ねたもののいずれかである、請求項１又は２に記載の窓枠構造。
【請求項４】
室外側窓枠部材（２）の底板部（２ａ）又は外縁板部（２ｂ）に、防虫網（１２）の取付部（２ｆ）が設けられている、請求項３に記載の窓枠構造。
【請求項５】
室外側窓枠部材（３）の底板部（３ａ）又は外縁板部（３ｂ）に、防虫網（１２）、又は窓蓋（１３）或いはシャッターの取付部（３ｆ）が設けられている、請求項３に記載の窓枠構造。
【考案の詳細な説明】
【技術分野】
【０００１】  本考案は、ドア又は壁面に設けた開口内に装着される埋込窓の窓枠構造に関する。
【背景技術】
【０００２】  ドア又は壁面に設けられる埋込窓には、埋込ガラス窓と、通気用網又は通気用パネル等を用いた通気用埋込窓とがある。【０００３】  これら埋込窓の窓枠は様々な構造のものがあり埋込ガラス窓については、例えば、特許文献１に記載のパネルへのガラスの取り付け構造が公知である。
通気用の埋込窓については、例えば、特許文献２に記載のガラリ窓用外枠の取付構造が公知である。
【先行技術文献】
【０００４】
【特許文献１】特許第３１２１４７７号公報
【特許文献１】実開昭６３−１６７５８８号公報
【０００５】  しかしながら、特許文献１に記載のパネルへのガラスの取り付け構造は、屋外側窓枠３と屋内側窓枠４とのよる接続箇所が、ネジ１２の引き付け方向の締結による連結箇所のみであるため、ネジ１２の締結力が強くなると、屋外側窓枠３と屋内側窓枠４が、ガラス５を挟み付け側に位置する各先端部どうしの間隔が狭くなる方向に傾いて、取付姿勢と取付後の見栄えが劣る事態になり易い。
【０００６】  特許文献２に記載のガラリ窓用外枠の取付構造においても同様である。
【考案の概要】
【考案が解決しようとする課題】
【０００７】  本考案は、室外側窓枠材（２）と室内側窓枠材（３）との間に押縁材（４）を介在させることにより、室外側窓枠材（２）と室内側窓枠材（３）の均等なる強い取付強度と、安定した取付姿勢を確保させた窓枠構造にすることを解決課題とする。
【課題を解決するための手段】
【０００８】  請求項１に係る窓枠構造は、
ドア又は壁面に設けた開口内に装着される埋込窓の窓枠構造であり、
室外側窓枠材（２）と室内側窓枠材（３）と押縁材（４）とビス（５）とを有し、
室外側窓枠材（２）は、長尺方向と直交する断面形状において、底板部（２ａ）を挟んだ窓外側端縁から直角方向に外縁板部（２ｂ）が立設し、窓内側縁から外縁板部（２ｂ）に対向する方向に外縁板部（１ｂ）の高さ半分から外縁板部（２ｂ）の高さに若干至らない範囲の高さで内縁板部（２ｃ）が立設し、内縁板部（２ｃ）の長尺方向に沿う先端縁部から底板部（２ａ）と反対方向に翼板部（２ｄ）が水平に突出した一体成型材であり、
室内側窓枠材（３）は、長尺方向と直交する断面形状において、底板部（３ａ）を挟んだ窓外側端縁から直角方向に外縁板部（３ｂ）が立設し、室内側縁から外縁板部（３ｂ）に対向する方向に外縁板部（３ｂ）の高さ約３分の１から高さ半分程度の範囲で内縁板部（３ｃ）が立設した一体成型材であり、
押縁材（４）は、長尺形状を有する押板部（４ａ）の長尺方向に沿う一端縁から直角方向に翼板部（４ｂ）が形成されたＬ型材であり、
双方の内縁板部（２ｃ、３ｃ）の間に窓用パネルを配置し、押板部（４ａ）を室内側窓押板部（３ａ）における内縁板部（２ｃ）の内側面に沿わせ、押縁材（４）の翼板部（４ｄ）を室外側窓枠材（２）の翼板部（２ｄ）に重ね合わせた状態で、室外側窓枠材（２）と室内側窓枠材（３）とを、双方の外縁板部（２ｂ，３ｂ）を残した状態で、前記開口内に前後方向から突入させ、
更に、室内側窓枠部材（２）の外縁板部（２ｂ）から挿入したビス（４）の軸部を、押板部（４ａ）に挿通させ、室内側窓枠材（３）の外縁板部（３ｂ）に設けたビス孔内に螺入・締結させて、
押板部（４ａ）と室外側窓枠材（２）の内縁板部（２ｃ）とにより窓パネルが挟み付けられ、室外側窓枠材（２）の外縁板部（２ｂ）と室内側窓枠材（３）の外縁板部（３ｂ）とにより前記開口の外側周囲面が挟み付けられる構造であるところに特徴がある。【０００９】  請求項１に係る窓枠構造は、ドア又は壁面に設けた開口内に装着される埋込窓の窓枠構造であり、この埋込窓には、埋込ガラス窓の他、換気ガラリ、通気用網、通気用パネル等を用いた通気用埋込窓が挙げられる。
請求項１に係る窓枠構造において、室外側窓枠材（２）の内縁板部（２ｃ）と室内側窓枠材（３）の内縁板部（３ｃ）との間に、例えば埋込ガラス窓の場合、窓ガラス（１０）が配置されている。
そして、室外側窓枠材（２）の外縁板部（２ｂ）における内側面と室内側窓枠材（３）の外縁板部（３ｂ）における内側面との間に、前記開口入口の周縁面が位置している。
ビス（４）は、その頭部を室内側窓枠部材（２）の外縁板部（２ｂ）に支持され、ビス（４）の軸部は押板部（４ａ）に挿通し、ビス（４）の先端部は室外側窓枠材（２）の内縁板部（２ｃ）に螺入・締結されている。
押縁材（４）は、室内側窓枠材（３）の内縁板部（３ｃ）と、室外側窓枠材（２）の翼板部（２ｄ）と、挿通したビス（４）とにより直立姿勢を維持している。
押縁材（４）は、また、室外側窓枠材（２）と室内側窓枠材（３）の姿勢を安定させる機能も有する。
ビス（４）が締結されると、室外側窓枠材（２）と室内側窓枠材（３）の各内縁板部（２ｃ、３ｃ）とにより、窓ガラス（１０）の周縁部が前後から挟み付けられて保持され、室外側窓枠材（２）と室内側窓枠材（３）の各外縁板部（２ｂ、２ｃ）とにより、前記開口入口の周縁面を前後から強く挟んで、窓ガラス（１０）を保持して、窓枠（１）を前記開口に内に装着させる。【００１０】  請求項２に係る窓枠構造は、請求項１に記載の窓枠構造において、更に、前記窓パネルが窓ガラスとされている。【００１１】    請求項３に係る窓枠構造は、請求項１に記載の窓枠構造において、更に、前記窓パネルが、換気ガラリ、通気口を多数設けた通気パネル、通気パネルと防虫網とを重ねたもののいずれかとされている。【００１２】  請求項４に係る窓枠構造は、請求項３に記載の窓枠構造において、更に、室外側窓枠部材（２）の底板部（２ａ）又は外縁板部（２ｂ）に、防虫網（１２）の取付部（２ｆ）が設けられている。【００１３】  請求項５に係る窓枠構造は、請求項３に記載の窓枠構造において、更に、  室外側窓枠部材（３）の底板部（３ａ）又は外縁板部（３ｂ）に、防虫網（１２）、又は窓蓋（１３）或いはシャッターの取付部（３ｆ）が設けられている。
【考案を実施するための形態】
続いて、本考案における窓枠構造の実施形態を詳述する。
【図面の簡単な説明】
【００１４】
【図１】本考案の窓枠構造を有する窓枠の正面から見た形状を示した図。
【図２】本考案の窓枠構造を有する窓枠の正面から見た形状を示した図。
【図３】本考案第１実施形態に係る窓枠構造の要部側面断面図。
【図４】（ａ）は室外側窓枠材の破断斜視図、（ｂ）は室外側窓枠材の破断斜視図、（ｃ）は押縁材の破断斜視図。
【図５】本考案第２実施形態に係る窓枠構造の要部側面断面図。
【実施例】
【００１５】  本考案に係る窓枠構造は、図１に示す角窓、図２に示す丸窓（円形窓）のいずれの窓枠にも適用可能な構造を持つ。【００１６】  図３はガラス窓の窓枠構造が示されており、図３に示す第１実施形態に係る窓枠は、長尺の室外側窓枠材（２）と、室内側窓枠材（３）と、押縁材（４）と、ビス（５）とを具備する。
例えば、図１に示す角窓の窓枠である場合には、縦横各２本の室外側窓枠材（２）と、縦横各２本の室内側窓枠材（３）と、縦横各２本の押縁材（４）と、少なくとも８本のビス（５）が用いられる。【００１７】  縦横各２本（計４本）の室外側窓枠材（２）と室内側窓枠材（３）の各両端縁は４５°の傾斜角に切断されて、縦横の室外側窓枠材（２）が方形に組み合わされて、溶接等により固着されて一体化されている。室内側窓枠材（３）及び押縁材（４）も同じ手法により一体化されている。
このため、窓枠（１）は、方形に組立てられた室外側窓枠材（２）と、方形に組立てられた室内側窓枠材（３）と、方形に組立てられた押縁材（４）とを組み付けた構造となる。【００１８】  例えば図２に示す丸窓（円形窓）の窓枠である場合には、１個の室外側窓枠材（２）と、１個の室内側窓枠材（３）と、１個の押縁材（４）とが、夫々リング状に形成されて両端部が溶接等により接合されたものが用いられる。【００１９】  図３に示す第１実施形態に係る窓枠（１）は、室外側窓枠材（２）の内縁板部（２ｃ）と、室内側窓枠材（３）の内縁板部（３ｃ）との間に、窓用パネル（１０）が配置されている。【００２０】  図３に示す第１実施形態に係る窓枠（１）の構造によれば、押縁材（４）は、押板部（４ａ）を起立させた姿勢で室内側窓押板部（３ａ）における内縁板部（２ｃ）の内側面に沿わせ、翼板部（４ｄ）を室外側窓枠材（２）の翼板部（２ｄ）に重ね合わせた状態で配置されている。
そして、室外側窓枠材（２）と室内側窓枠材（３）とは、双方の外縁板部（２ｂ，３ｂ）を残した状態で、前記開口内に煎後方向から突入させて配置されている。【００２１】  そして、室内側窓枠部材（２）の外縁板部（２ｂ）から挿入したビス（４）の軸部を、押板部（４ａ）に挿通させ、室内側窓枠材（３）の外縁板部（３ｂ）に設けたビス孔内に螺入・締結させて、押板部（４ａ）と室外側窓枠材（２）の内縁板部（２ｃ）とにより窓パネル（１０）を挟持し、室外側窓枠材（２）の外縁板部（２ｂ）と室内側窓枠材（３）の外縁板部（３ｂ）とを前記開口の外側周囲面に挟み付けた構造となっている。【００２２】  図４（ａ）に示すように、室外側窓枠材（２）は、長尺方向と直交する断面形状において、底板部（２ａ）を挟んだ窓外側端縁から直角方向に外縁板部（２ｂ）が立設し、窓内側縁から外縁板部（２ｂ）に対向する方向に外縁板部（１ｂ）の高さ半分から外縁板部（２ｂ）の高さに若干至らない範囲の高さで内縁板部（２ｃ）が立設し、内縁板部（２ｃ）の長尺方向に沿う先端縁部から底板部（２ａ）と反対方向に翼板部（２ｄ）が水平に突出した一体成型材が用いられている。【００２３】  図４（ｂ）に示すように、室内側窓枠材（３）は、長尺方向と直交する断面形状において、底板部（３ａ）を挟んだ窓外側端縁から直角方向に外縁板部（３ｂ）が立設し、室内側縁から外縁板部（３ｂ）に対向する方向に外縁板部（３ｂ）の高さ約３分の１から高さ半分程度の範囲で内縁板部（３ｃ）が立設した一体成型材が用いられている。【００２４】  図４（ｃ）に示すように、押縁材（４）は、長尺形状を有する押板部（４ａ）の長尺方向に沿う一端縁から直角方向に翼板部（４ｂ）が形成されたＬ型材が用いられている。【００２５】  図５に示す第２実施形態に係る窓枠（１）は、ガラリ羽根１１を上下方向に間隔を設けて配置させることができるように、室外側窓枠材（２）の内縁板部（２ｃ）と室内側窓枠材（３）の内縁板部（３ｃ）との間の間隔が、ガラリ羽根１１の前後幅（奥行き）に合わせた間隔に設定されている。【００２６】  そして、室外側窓枠材（２）の内側に、防虫網１２の周縁部が取り付けられる面２ｆが形成されている。【００２７】  そして、更に、室内側窓枠材（３）の内側に、冬場に冷風が室内に侵入するのを防止させる窓蓋１３を嵌め込んで装着できるように構成されている。窓蓋１３は、ナイロンファスナー１４の着脱操作により、室内側窓枠材（３）の内側から着脱できる。窓蓋１３に断熱材を支持させたり、窓蓋１４を断熱性に優れる材料を形成すると、尚良い。
【考案の効果】
【００２８】  本考案に係る窓枠構造によれば、室外側窓枠材（２）と室内側窓枠材（３）との間に押縁材（４）を介在させて、室内側窓枠材（３）の外側から挿入したビスの軸部を押縁材（４）に挿通させて、室外側窓枠材（２）の内縁板部（２ｃ）に螺入・締結させる構造とした結果、室外側窓枠材（２）と室内側窓枠材（３）の均等なる強い取付強度と、安定した取付姿勢を確保させた窓枠構造にすることができるようになった。
【００２９】  また、  本考案に係る窓枠構造によれば、窓パネルとして、窓ガラス、換気ガラリ、換気パネル、防虫網等を取り付けることができる窓枠構造とすることができるようになった
【符号の説明】
【００３０】１      窓枠
２      室外側窓枠材
２ａ    底板部
２ｂ    外縁板部
２ｃ    内縁板部
２ｄ    翼板部
３      室内側窓枠材
３ａ    底板部
３ｂ    外縁板部
３ｃ    内縁板部
４      押縁材
４ａ    押板部
４ｂ    翼板部
５      ビス
【図１】
0003185349.tif 000003
【図２】
0003185349.tif 000004
【図３】
0003185349.tif 000005
【図４】
0003185349.tif 000006
【図５】
0003185349.tif 000007